(57)【要約】【課題】装飾性を付与できる靴底、それに用いる加飾用の弾性部材及びこれらを用いた靴を提供することを目的とする。【解決手段】本靴底１０は、靴１の外底１ａ側に設けられ、透視性の部材を用いて形成された透視性の本体部１１を有し、本体部１１は外底側へ開孔するように立設された複数の筒状室１３を有し、筒状室１３の内部に着脱可能に挿着された加飾用の弾性部材５０を有し、弾性部材は本体部１１を通して靴底１０の外部から視認可能とされている。本弾性部材５０は、本体部１１を通して靴底１０の外部から視認可能であって、且つ、筒状室１３内に着脱可能に挿着できる。本靴１は本靴底１０を備える。【選択図】図１１
2014033742.tif 000002
【特許請求の範囲】
【請求項１】
靴の外底側に設けられる靴底であって、
前記靴底は、透視性の部材を用いて形成された透視性の本体部を有し、
前記本体部は、前記外底側へ開孔するように立設された複数の略筒形状をなす筒状室を有し、
前記筒状室は、その内部に着脱可能に挿着された加飾用の弾性部材を有し、
前記弾性部材は、前記本体部を通して前記靴底の外部から視認可能とされていることを特徴とする靴底。
【請求項２】
前記本体部は、気密に仕切られた複数のエアクッション室を有する請求項１に記載の靴底。
【請求項３】
前記筒状室は、その内周面に、前記弾性部材と螺合される筒状室内螺子山を有し、
前記弾性部材は、その外周面に、前記筒状室内螺子山に螺合される弾性部材側螺子山を有し、
前記弾性部材をねじ締めすることによって、前記筒状室内における前記弾性部材の長さが調節可能とされている請求項１又は２に記載の靴底。
【請求項４】
前記弾性部材は、バネと、前記バネの前記外底側の一端に接続された前記弾性部材側螺子山を備える螺子体と、を有する請求項３に記載の靴底。
【請求項５】
前記弾性部材の少なくとも一部が、識別可能に彩色されている請求項１乃至４のうちのいずれかに記載の靴底。
【請求項６】
前記筒状室の前記外底側の開孔を塞ぐ蓋部材を有する請求項１乃至５のうちのいずれかに記載の靴底。
【請求項７】
靴の外底側に設けられた靴底に挿着して利用される加飾用の弾性部材であって、
前記靴底は、透視性の部材を用いて形成された透視性の本体部を有し、
前記本体部は、前記外底側へ開孔するように立設された複数の略筒形状をなす筒状室を有し、
前記本体部を通して前記靴底の外部から視認可能であって、且つ、前記筒状室内に着脱可能に挿着できることを特徴とする加飾用の弾性部材。
【請求項８】
前記筒状室は、その内周面に、前記弾性部材と螺合される筒状室内螺子山を有し、
前記弾性部材は、その外周面に、前記筒状室内螺子山に螺合される弾性部材側螺子山を有し、
前記弾性部材をねじ締めすることによって、前記筒状室内における前記弾性部材の長さが調節可能とされている請求項７に記載の加飾用の弾性部材。
【請求項９】
バネと、前記バネの前記外底側の一端に接続された前記弾性部材側螺子山を備える螺子体と、を有する請求項８に記載の加飾用の弾性部材。
【請求項１０】
少なくとも一部が識別可能に彩色されている請求項７乃至９のうちのいずれかに記載の加飾用の弾性部材。
【請求項１１】
請求項１乃至６のうちのいずれかに記載の靴底を備えることを特徴とする靴。
【発明の詳細な説明】
【技術分野】
【０００１】
本発明は、靴底、それに用いる加飾用の弾性部材及びこれらを用いた靴に関する。更に詳しくは、装飾性に優れた靴底、それに用いる加飾用の弾性部材及びこれらを用いた靴に関する。
【背景技術】
【０００２】
今日、履物には種々の態様が存在し、例えば、旧来からの下駄のように木材のみから形成された履物もあるが、多くは樹脂成形体からなる靴底を有している。
靴底は、足に掛かる負荷を軽減するためのクッション性や、運動性を向上させるための靴底のパターニング等についての検討は多くなされているものの、その装飾性についてはあまり多くの検討はなされていない。近年、靴底も多種多様に進化しており、特に厚底に形成された靴も多く利用されるようになりつつある。しかし、未だ、靴底に装飾性を付与する工夫等は、ほとんど知られてない。尚、透視性のある素材を用いてエアクッションが形成された靴底としては、下記特許文献１及び下記特許文献２が知られている。
【先行技術文献】
【特許文献】
【０００３】
【特許文献１】特開２０１０−１４８９１５号公報
【特許文献２】特開２０１１−２５１１９０号公報
【発明の概要】
【発明が解決しようとする課題】
【０００４】
本発明は、上記実情に鑑みてなされたものであり、装飾性を付与できる靴底、それに用いる加飾用の弾性部材及びこれらを用いた靴を提供することを目的とする。
【課題を解決するための手段】
【０００５】
本発明は以下のとおりである。
本発明の靴底１０は、靴１の外底１ａ側に設けられる靴底１０であって、
前記靴底１０は、透視性の部材１５を用いて形成された透視性の本体部１１を有し、
前記本体部１１は、前記外底１ａ側へ開孔するように立設された複数の略筒形状をなす筒状室１３を有し、
前記筒状室１３は、その内部に着脱可能に挿着された加飾用の弾性部材５０を有し、
前記弾性部材５０は、前記本体部１１を通して前記靴底１０の外部から視認可能とされていることを要旨とする。
【０００６】
請求項２に記載の靴底は、請求項１に記載の靴底１０において、前記本体部１１が、気密に仕切られた複数のエアクッション室１７を有することを要旨とする。
【０００７】
請求項３に記載の靴底は、請求項１又は２に記載の靴底において、前記筒状室１３が、その内周面１３ａに、前記弾性部材５０と螺合される筒状室内螺子山１３１を有し、
前記弾性部材５０が、その外周面５０ａに、前記筒状室内螺子山１３１に螺合される弾性部材側螺子山５２１を有し、
前記弾性部材５０をねじ締めすることによって、前記筒状室１３内における前記弾性部材５０の長さが調節可能とされていることを要旨とする。
【０００８】
請求項４に記載の靴底は、請求項３に記載の靴底１０において、前記弾性部材５０は、バネ５１と、前記バネ５１の前記外底１ａ側の一端に接続された前記弾性部材側螺子山５２１を備える螺子体５２と、を有することを要旨とする。
【０００９】
請求項５に記載の靴底は、請求項１乃至４のうちのいずれかに記載の靴底１０において、前記弾性部材５０の少なくとも一部が、識別可能に彩色されていることを要旨とする。
【００１０】
請求項６に記載の靴底１０は、請求項１乃至５のうちのいずれかに記載の靴底１０において、前記筒状室１３の前記外底１ａ側の開孔１３５を塞ぐ蓋部材７０を有することを要旨とする。
【００１１】
本発明の加飾用の弾性部材５０は、靴１の外底１ａ側に設けられた靴底１０に挿着して利用される加飾用の弾性部材であって、
前記靴底１０は、透視性の部材１５を用いて形成された透視性の本体部１１を有し、
前記本体部１１は、前記外底１ａ側へ開孔するように立設された複数の略筒形状をなす筒状室１３を有し、
前記本体部１１を通して前記靴底１０の外部から視認可能であって、且つ、前記筒状室１３内に着脱可能に挿着できることを要旨とする。
【００１２】
請求項８に記載の加飾用の弾性部材は、請求項７に記載の加飾用の弾性部材５０において、前記筒状室１３は、その内周面１３ａに、前記弾性部材５０と螺合される筒状室内螺子山１３１を有し、
前記弾性部材５０は、その外周面５０ａに、前記筒状室内螺子山１３１に螺合される弾性部材側螺子山５２１を有し、
前記弾性部材５０をねじ締めすることによって、前記筒状室１３内における前記弾性部材５０の長さが調節可能とされていることを要旨とする。
【００１３】
請求項９に記載の加飾用の弾性部材は、請求項８に記載の加飾用の弾性部材５０において、バネ５１と、前記バネ５１の前記外底１ａ側の一端に接続された前記弾性部材側螺子山５２１を備える螺子体５２と、を有することを要旨とする。
【００１４】
請求項１０に記載の加飾用の弾性部材は、請求項７乃至９のうちのいずれかに記載の加飾用の弾性部材５０において、少なくとも一部が識別可能に彩色されていることを要旨とする。
【００１５】
本発明の靴１は、請求項１乃至６のうちのいずれかに記載の靴底１０を備えることを特徴とする。
【発明の効果】
【００１６】
本発明の靴底１０によれば、透視性の本体部１１の筒状室１３の内部に挿着された弾性部材５０を、靴底１０の外側から透視でき、優れた装飾性を発揮させることができる。
【００１７】
本体部１１が、気密に仕切られた複数のエアクッション室１７を有する場合には、軽く且つクッション性に優れた靴とすることができる。
【００１８】
筒状室１３が、その内周面１３ａに、弾性部材５０と螺合される筒状室内螺子山１３１を有し、弾性部材５０が、その外周面５０ａに、筒状室内螺子山１３１に螺合される弾性部材側螺子山５２１を有し、弾性部材５０をねじ締めすることによって、筒状室１３内における弾性部材５０の長さが調節可能とされている場合には、個別に設けられた複数の筒状室１３内で、各々の筒状室１３内に挿着された弾性部材５０の見え方を自在に調整することができる。このために、加飾の自由度を著しく大きくすることができる。
【００１９】
弾性部材５０が、バネ５１と、バネ５１の外底１ａ側の一端に接続された弾性部材側螺子山５２１を備える螺子体５２と、を有する場合には、靴底１０の外部から、バネの形状を視認することができる。即ち、バネの形状による装飾性を更に加えることができ、より優れた装飾性を発揮させることができる。
【００２０】
弾性部材５０の少なくとも一部が、識別可能に彩色されている場合には、靴底１０の外部から、弾性部材５０の彩色を視認することができる。即ち、彩色による装飾性を更に加えることができ、より優れた装飾性を発揮させることができる。
【００２１】
筒状室１３の外底１ａ側の開孔１３５を塞ぐ蓋部材７０を有する場合には、靴の使用時に筒状室１３内へ異物が入ることを防止できる。
【００２２】
本発明の加飾用の弾性部材によれば、透視性の本体部１１の筒状室１３の内部に挿着された弾性部材５０を、靴底１０の外側から透視でき、優れた装飾性を発揮させることができる。
【００２３】
筒状室１３が、その内周面１３ａに、弾性部材５０と螺合される筒状室内螺子山１３１を有し、弾性部材５０が、その外周面５０ａに、筒状室内螺子山１３１に螺合される弾性部材側螺子山５２１を有し、弾性部材５０をねじ締めすることによって、筒状室１３内における弾性部材５０の長さが調節可能とされている場合には、靴底１０に設けられた複数の筒状室１３内で、各々の筒状室１３内に挿着された弾性部材５０の見え方を自在に調整することができる。このために、加飾の自由度を著しく大きくすることができる。
【００２４】
弾性部材５０が、バネ５１と、バネ５１の外底１ａ側の一端に接続された弾性部材側螺子山５２１を備える螺子体５２と、を有する場合は、靴底１０の外部から、バネの形状を視認することができる。即ち、バネの形状による装飾性を更に加えることができ、より優れた装飾性を発揮させることができる。
【００２５】
弾性部材５０の少なくとも一部が、識別可能に彩色されている場合には、靴底１０の外部から、弾性部材５０の彩色を視認することができる。即ち、彩色による装飾性を更に加えることができ、より優れた装飾性を発揮させることができる。
【００２６】
本発明の靴によれば、透視性の本体部１１の筒状室１３の内部に挿着された弾性部材５０を、靴底１０の外側から透視でき、優れた装飾性を有することができる。
【図面の簡単な説明】
【００２７】
【図１】本靴底の一例の側断面を模式的に示した説明図である。
【図２】本靴底が備える筒状室の近傍を拡大して模式的に示した説明図である。
【図３】本靴底が備える弾性部材の一例を模式的に示した説明図である。
【図４】本靴底が備える弾性部材の他例を模式的に示した説明図である。
【図５】本靴底における弾性部材の状態の一例を説明する説明図である。
【図６】本靴底における弾性部材の状態の他例を説明する説明図である。
【図７】本靴底における筒状室内螺子山及び筒状室螺子部材を説明する説明図である。
【図８】本靴底における筒状室螺子部材と周辺との相関を説明する説明図である。
【図９】本靴底における筒状室螺子部材の一例を模式的に示した説明図である。
【図１０】本靴底の他例の側断面を模式的に示した説明図である。
【図１１】本靴の一例の側断面を模式的に示した説明図である。
【図１２】本靴底における固定板を説明する説明図である。
【図１３】本靴底における外底面を説明する説明図である。
【図１４】本靴底における筒状室とエアクッション室とを説明する説明図である。
【図１５】本靴底における固定板の一例を説明する説明図である。
【図１６】本靴底における固定板の他例を説明する説明図である。
【図１７】本靴底における固定板の更に他例を説明する説明図である。
【発明を実施するための形態】
【００２８】
以下、図も参照しながら、本発明を詳しく説明する。
本発明の実施形態の靴底１０は、靴１の外底１ａ側に設けられる靴底１０であって、
前記靴底１０は、透視性の部材１５を用いて形成された透視性の本体部１１を有し、
前記本体部１１は、前記外底１ａ側へ開孔するように立設された複数の略筒形状をなす筒状室１３を有し、
前記筒状室１３は、その内部に着脱可能に挿着された加飾用の弾性部材５０を有し、
前記弾性部材５０は、前記本体部１１を通して前記靴底１０の外部から視認可能とされていることを特徴とする（図１及び図１１参照）。
【００２９】
靴底１０は、透視性の本体部１１を有する。この本体部１１は、透視性の部材１５から構成されている。
透視性の部材１５は、透視性を有すればよくどのような材料であってもよい。即ち、例えば、有色透視性であってもよく、無色透視性であってもよい。このような材料としては、通常、樹脂が用いられる。樹脂のなかでも熱可塑性樹脂が好ましい。熱可塑性樹脂は射出成形できるため、筒状室等を容易に形成することができる。更に、熱可塑性樹脂のなかでも、熱可塑性エラストマーが好ましい。熱可塑性エラストマーは、固化後にも弾力性を発揮できるために、靴底として特に好ましい。熱可塑性エラストマーとしては、オレフィン系熱可塑性エラストマー（ＴＰＯ）、ウレタン系熱可塑性エラストマー（ＰＵ）、スチレン系熱可塑性エラストマー（ＳＢＣ）、塩化ビニル系熱可塑性エラストマー（ＴＰＶＣ）、エステル系熱可塑性エラストマー（ＴＰＥＥ）、アミド系熱可塑性エラストマー（ＴＰＡＥ）等が挙げられる。これらは１種のみを用いてもよく２種以上を併用してもよい。
【００３０】
また、本体部１１は、外底１ａ側へ開孔するように立設された複数の略筒形状をなす筒状室１３を有する。筒状室１３は、その内部に弾性部材５０を着脱可能に収容できる部位である。この筒状室１３は、図１１に示されるように、外底１ａ側と履き口１ｂ側との間に立設されるように複数が配設される。更に、図２に示されるように、開口部１３５において外底１ａ側へ開孔されるように隔壁１５ａによって仕切られる。
【００３１】
更に、筒状室１３の他方側、即ち、履き口１ｂ側は、図２に示すように、通常、隔壁１３ｂによって閉じられているが、図１５に示すように隔壁１３ｂの一部が開孔されていてもよく、更には、図１６に示すように履き口１ｂ側へ完全に開孔されて隔壁１３ｂ（筒状室１３の天井部分の隔壁）を備えない構造とすることもできる。各々開孔されている場合には、図１５及び図１６に示すように、筒状室１３の履き口１ｂ側の開孔部には後述する固定板９０等を配設することができる。
【００３２】
また、図１４に示されるように、複数ある筒状室１３は、各々離間されてバランス良く配置されることが好ましい。バランス良く配置されることで、靴底１０に負荷される荷重をより効果的に分散できる。また、歩行する際により荷重が大きく負荷される部位には、筒状室１３をより密に配置することもできる。
【００３３】
各筒状室１３は、略筒形状をなせばよく、例えば、図１及び図２等に例示されるように、外底１ａ側から履き口１ｂ側まで一様の太さの筒形状であってもよい。また、外底１ａ側から履き口１ｂ側まで一様の太さではない筒形状であってもよい。一様の太さではない筒形状として、例えば、外底１ａ側又は履き口１ｂ側のいずれかの側において他方側よりも広がった形態や、外底１ａ側及び履き口１ｂ側が中央部に比べて広がった形態や、内壁面に凹部及び／又は凸部を備えた形態等が挙げられる。このうち、内壁面に凹部及び／又は凸部を備えた形態としては、例えば、図７及び図８に例示されるように、筒状室１３内に螺子山１３１（筒状室内螺子山）を別部材により配設するために、この別部材を係止するための凹部及び／又は凸部（係合部１３７）等が挙げられる。
【００３４】
更に、筒状室１３の内部には、着脱可能に挿着された加飾用の弾性部材５０が配設されている。この弾性部材５０は、靴底１０の外部から視認可能に配設されており、靴底１０に装飾性を付与するとともに、靴１を履いた際に足裏の各部に対してテンションを与えて、より歩き易くする効果を発揮できる。即ち、例えば、足裏のうちの土踏まず部分に対しては、その他の部分よりも弾性力の強い弾性部材５０を用いることができる。このように、複数の弾性部材５０は、各々同じ弾性力を有してもよく、異なる弾性力を有してもよい。
【００３５】
弾性部材５０の構成は特に限定されないが、例えば、図３に示すように、（１）バネ５１（螺旋形状バネ）と、バネ５１の外底１ａ側の一端に接続された螺子体５２と、から構成できる。更に、図４に示すように、（２）弾性樹脂体５４（ゴム、熱可塑性エラストマー等）と、弾性樹脂体５４の外底１ａ側の一端に接続された螺子体５２と、から構成できる。このうちでは、図３に示されるバネ５１を用いた形態が好ましい。バネ５１は、樹脂バネを用いてもよく、金属バネを用いてもよいが、好ましくは金属バネが用いられる。金属バネを用いた場合には、後述するねじ締めによって、足裏へのテンションをより向上させることができる。
【００３６】
更に、筒状室１３の内周面１３ａに、弾性部材５０と螺合される筒状室内螺子山１３１を有するとともに、弾性部材５０が、その外周面５０ａに、筒状室内螺子山１３１に螺合される弾性部材側螺子山５２１を有することによって、弾性部材５０をねじ締めして、筒状室１３内部へ挿着することができる。このようにすれば、靴の動きによっても弾性部材５０が脱離することを防止できる。
【００３７】
筒状室１３内に配設される筒状室内螺子山１３１は、筒状室１３の内周の全面に形成してもよいが、弾性部材５０が備える螺子体５２がその全周に弾性部材側螺子山５２１を備える場合には、筒状室１３内部の筒状室内螺子山１３１は一部のみに形成されていてもよい。筒状室内螺子山１３１が筒状室１３内周の全面に形成されない場合には、これによって外部から弾性部材５０をより視認し易くすることができる。
【００３８】
また、筒状室１３内に配設される筒状室内螺子山１３１は、筒状室１３の内壁面に直接に螺刻されていてもよいが、図７−図９に例示されるように、筒状室内螺子山１３１を備える別部材（筒状室螺子部材１３３）を筒状室１３内に配設して設けることもできる。前述のように、本体部１１が熱可塑性エラストマー等から構成される場合等には、熱可塑性エラストマーよりも硬質な材料からなる筒状室螺子部材１３３を用いることで、より確実に弾性部材５０を筒状室１３内の所望の位置で固定することができる。
【００３９】
具体的には、例えば、図７に例示されるように、筒状室１３内には、筒状室螺子部材１３３が係合されるように、係合部１３７を適宜設けることによって、筒状室１３内において筒状室螺子部材１３３を固定することができる。特に、図９に例示されるように、筒状室螺子部材１３３の本体から外側へ放射状に開くように形成されたフラップ状やラッチ状の凸部１３４を設け、適宜、この凸部１３４を筒状室１３周辺に係合して固定することができる。例えば、図８に例示されるように、凸部１３４を、本体部１１と硬質底部６０との層間に潜り込ませるように係合することができる。このように係合した場合には、筒状室螺子部材１３３が、外底１ａ側にも履き口１ｂ側にも移動されないよう固定することができる。
【００４０】
筒状室内螺子山１３１を設けるにあたって、筒状室螺子部材１３３を用いる場合、この筒状室螺子部材１３３は、どのような材料から構成してもよい。即ち、例えば、金属、セラミック、硬質樹脂等を用いることができる。また、筒状室螺子部材１３３は、透視性の樹脂から構成することで、本体部１１と同様に透視性であってもよいが、透視性でなくともよい。更には、透視性の本体部１１の外から視認可能に彩色されていてもよい。
尚、筒状室螺子部材１３３に設ける凸部１３４の形状は特に限定されない。例えば、図９に例示されるように、本体の底部から複数の凸部１３４が外側へ向かって放射状に形成されてもよい。また、本体底部の外側全周を囲むようにリング状の凸部１３４が設けられていてもよい。その他、適宜の形態とすることができる。
【００４１】
また、弾性部材５０はねじ締めすることによって、筒状室１３内における弾性部材５０の長さを調節可能にできる。即ち、図５に示すように、弾性部材５０が弾性部材側螺子山５２１を有することによって、弾性部材５０のねじ締め具合により、バネ５１を伸縮させて適度な位置で維持することができる。例えば、バネ５１が長くなるようにねじ締めをした場合には、足裏に負荷されるテンションはほとんど感じられない程にまで低減できる。また、装飾性の観点からは、バネ５１の特異な形態（即ち、螺旋形状）を靴底１０の外側からより視認し易くすることができる。一方、図６に例示されるように、弾性部材５０をより強くねじ締めることによって、バネ５１を短く縮めることができる。この場合には、足裏に負荷されるテンションを最大限にまで大きくすることができる。また、装飾性の観点からは、バネ５１が螺旋形状であることを目立ち難くして一体的な形状とすることによって、バネ５１自体に施された色を強調することができる。更には、螺子体５２の外底１ａ側に空間を形成することができるために、その空間を通して他の弾性部材５０を視認させることができる。
【００４２】
更に、複数の筒状室１３内に挿着された複数の弾性部材５０は、各々使用者が好みの長さに調節して利用できる。これによって、足裏に負荷されるテンションを使用者が好みに合わせて各部位で選択・調整できる。加えて、弾性部材５０は、外部から視認可能とされているために、外部から見れば、各々異なる長さで挿着されていることとなり、その装飾性にもより優れる。
また、この弾性部材５０は、図３及び図４に示すように、履き口１ｂ側においては、頂部５３を備えることができる。頂部をバネ５１や弾性樹脂５４とは別体に備えることによって、筒状室１３内での弾性部材５０のズレを防止して、安定して弾性部材５０を機能させることができる。
【００４３】
更に、弾性部材５０は、その少なくとも一部が、識別可能に彩色されたものとすることができる。具体的には、バネ５１が彩色されたり、弾性樹脂５４が彩色されたり、螺子体５２が彩色されたり、頂部５３が彩色されたり、様々な態様とすることができる。各部位は、同色に彩色されてもよく、グラデーションとして彩色されてもよく、更には、異なる色に彩色されてもよい。また、各部位（バネ５１、螺子体５２及び頂部５３）は、各々使用者が好みの色彩に交換可能とすることができる。尚、バネ５１が金属バネである場合等、材質によって彩色が困難である場合には、彩色された樹脂カバーを被せることで彩色することができる。更に、金属バネでは、これをめっき彩色することもできる。めっき彩色した場合には、金属光沢を伴った色彩をすることができるために、更に優れた装飾性を付与することができる。
【００４４】
また、上述のように、弾性部材５０をねじ締めし易いように、螺子体５２の底面（外底１ａ側の面）には、ねじ締めする際の工具に対応した工具用溝５２２（図１３参照）を備えることができる。
【００４５】
本発明の靴底１０は、本体部１１の筒状室１３以外の部分には、透視性を確保しながらもクッション性を付与するために、透視性の部材１５で形成することができる。この際には、筒状室１３が孔設されて、透視性の部材１５で一体的に形成された本体部１１とすることができる。
【００４６】
また、この本体部１１には、気密に仕切られた複数のエアクッション室１７を設けることができる。エアクッション室１７が形成されることによって、靴底１０自体の重量を低減して、優れた装飾性を有しながらも、軽量な靴を実現することができる。更に、エアクッション室１７を備えることで、透視性の部材１５による隔壁１５ａの厚みを薄くすることができ、より優れたクッション性（部材１５自体が撓むことができる）と筒状室１３の視認性を高めることができる。
【００４７】
このエアクッション室１７の内部には、どのような気体を封入してもよい。例えば、空気を封入してもよく、窒素ガスを封入してもよい。各々気体が有する機能に応じて利用することができる。また、このエアクッション室１７内には、気体に換えて各種の流体を充填することもできる。即ち、例えば、液体やゲル等が挙げられる。
【００４８】
また、このエアクッション室１７は、どのように配置されてもよいが、例えば、図１４に示すように、各筒状室１３同士が互いに隣接しないように、即ち、筒状室１３をバランスよく配置できるように、筒状室１３の間に配置することができる。更に、図１４に示すように、隔壁１５ｂ’を配設して、各エアクッション室１７の大きさを小さく仕切ることができる。隔壁１５ｂ’をによってエアクッション室１７を小さく仕切ることによって、各エアクッション室１７の強度を向上させることができる。更に、図１４に示すように、隔壁１５ｂ’が各筒状室１３同士を繋ぐように配置した場合には、隔壁１５ｂ’によってエアクッション室１７を小さく仕切ることができるとともに、筒状室１３同士の動きを連携させて運動時における靴底の安定性を向上させることができる。
【００４９】
更に、図１０に示されるように、本発明の靴底１０は、筒状室１３の外底１ａ側の開孔（開口部１３５）を塞ぐための蓋部材７０を備えることができる。この蓋部材７０を備えることにより、開口部１３５を塞いで、靴の使用時に筒状室１３内へ異物が入ることを防止できる。更に、この図６に示されるように弾性部材５０が、筒状室１３内部で縮んだ状態にある場合には、弾性部材５０の下側の空間から、蓋部材７０が視認可能となるため、蓋部材７０自体も装飾性を有することができる。即ち、例えば、蓋部材７０にも彩色を施すことができる。そして、各複数の蓋部材７０の各々の色は同じであってもよく、異なっていてもよいことは、弾性部材５０におけると同様である。
【００５０】
また、図１０に示されるように、本発明の靴底１０は、耐摺動性に優れた部材から形成された硬質底部６０を、本体部１１の外底１ａ側に備えることができる。硬質底部６０を備える場合には、筒状室１３及びエアクッション室１７を構成する透視性の部材１５に、高い耐摺動性を付与する必要がないために、部材１５の選択性を大きくすることができるとともに、靴１自体の寿命を向上できる。この硬質部材６０としては、通常、靴底の外底に利用されている様々な素材をそのまま利用することができる。即ち、この部分は透視性であってもよいが、通常は、透視性を要しない。また、硬質底部６０には、靴に必要な種々の滑り止めパターン等を施すことができる。
【００５１】
更に、本発明の靴底１０は、筒状室１３及びその内部に挿着される弾性部材５０の各々安定性を向上させるために、固定板９０を備えることができる（図１２参照）。固定板９０は、弾性部材５０の頂部５３のうちの２つ以上を連結させるための板材である。２つ以上の頂部５３を固定板９０によって連結させることで、頂部５３が連結された弾性部材５０同士の動きを連動させることができる。これによって弾性部材５０を安定化させることができる。特に図１２に示されるように、靴の爪先と踵との間において、横の方向に筒状室１３を配列し、各々を一例に連動させることによって、横方向への動きに追従し易くすることができ、安定した運動性能を発揮させることができる。この固定板９０を構成する材料は特に限定されないが、金属を用いることが好ましい。
【００５２】
また、この固定板９０は、どのように配置してもよく、例えば、図１５に示すように、筒状室１３の履き口１ｂ側の一端を構成する隔壁１３ｂの外側（隔壁１３ｂの履き口１ｂ側）に配置することができる。この場合には、隔壁１３ｂを開口部１３ｃにおいて貫通させてビスを設けて、弾性部材５０の頂部５３と固定板９０とを接続することができる。
更に、図１６に示すように、筒状室１３の履き口１ｂ側の一端を固定板９０によって塞ぐようにして構成することができる。この場合には、弾性部材５０の頂部５３と固定板９０とを直接的に接続することができる。
また、図１７に示すように、インサート成形によって、固定板９０を本体部１１内に予め配設することもできる。
【００５３】
本発明の実施形態の加飾用の弾性部材５０は、靴１の外底１ａ側に設けられた靴底１０に挿着して利用される加飾用の弾性部材であって、
前記靴底１０は、透視性の部材１５を用いて形成された透視性の本体部１１を有し、
前記本体部１１は、前記外底１ａ側へ開孔するように立設された複数の筒状室１３を有し、
前記本体部１１を通して前記靴底１０の外部から視認可能であって、且つ、前記筒状室１３内に着脱可能に挿着できることを特徴とする（図１、図３及び図４参照）。
この加飾用の弾性部材５０については、前述の本発明の靴底１０における弾性部材５０の説明がそのまま適用される。
【００５４】
本発明の実施形態の靴１は、本発明の靴底１０を備えることを特徴とする（図１１参照）。
この靴１の各部位については、前述の本発明の靴底１０における各部の説明がそのまま適用される。また、靴１は、それ以外に、靴を履いた場合に足を靴底１０に固定するためのアッパー９５を備えることができる。このアッパー９５は、図１１に例示されたような、足の甲を包み込む形態とすることができる他、適宜の様々な形態とすることができる。
即ち、例えば、運動靴（スニーカー、及び、各種スポーツ種目に特化された靴、例えば、ゴルフシューズなど）、スキー靴、スノーボード靴、登山靴、通勤通学用靴、ハイヒールシューズ、ブーツ、スリッパ、サンダル等が挙げられる。尚、靴の外底側の形状は特に限定されず、平坦であってもよく、ヒール部が形成されて段差を有してもよい。
【００５５】
尚、本発明においては、上記の具体的実施形態に示すものに限られず、目的、用途に応じて本発明の範囲内で種々変更した実施形態とすることができる。
【符号の説明】
【００５６】
１；靴、１ａ；外底（靴の外底）、１ｂ；履き口（靴の履き口）、
１０；靴底、
１１；本体部（靴底の本体部）、
１３；筒状室、１３ａ；筒状室の内周面、１３１；筒状室内螺子山、１３３；筒状室螺子部材、１３４；凸部、１３５；開口部、１３７；係合部、
１５；透視性の部材、１５ａ；筒状室を仕切る隔壁、１５ｂ；エアクッション室を仕切る隔壁、
１７；エアクッション室、
５０；弾性部材、５０ａ；弾性部材の外周面、
５１；バネ、
５２；螺子体、５２１；弾性部材側螺子山、５２２；工具用溝、
６０；硬質底部、
７０；蓋部材、
９０；固定部材、
９５；アッパー。
【図１】
2014033742.tif 000003
【図２】
2014033742.tif 000004
【図３】
2014033742.tif 000005
【図４】
2014033742.tif 000006
【図５】
2014033742.tif 000007
【図６】
2014033742.tif 000008
【図７】
2014033742.tif 000009
【図８】
2014033742.tif 000010
【図９】
2014033742.tif 000011
【図１０】
2014033742.tif 000012
【図１１】
2014033742.tif 000013
【図１２】
2014033742.tif 000014
【図１３】
2014033742.tif 000015
【図１４】
2014033742.tif 000016
【図１５】
2014033742.tif 000017
【図１６】
2014033742.tif 000018
【図１７】
2014033742.tif 000019